(57)【要約】【課題】２つの日時における管網解析結果を比較し、比較結果を表示することができる管網解析装置を提供する。【解決手段】流体の流量又は圧力を計測する測定局と接続され、測定局で計測された流体の計測値を受信する通信インタフェース部４と、流体が流れる管網の位置についての情報、配管についての情報、需要家についての情報、及び流体の計測値についての情報を格納する管網データベース８００と、管網データベース８００に格納されている情報を用いて管網解析を行い、流体の物理量を求める管網解析部２００と、管網解析部２００が求めた物理量を格納する管網解析結果データベース６００と、管網解析結果データベース６００に格納されている物理量から、時点又は期間で指定された２つの日時における物理量を抽出し、抽出した２つの日時における物理量の互いの相対値を求める比較部３００を備え、比較部３００は、相対値を管網とともに表示装置５に表示する。【選択図】図１
2015203942.tif 000002
【特許請求の範囲】
【請求項１】
流体の流量又は圧力を計測する測定局と接続され、前記測定局で計測された前記流体の計測値を受信する通信インタフェース部と、
前記流体が流れる管網の位置についての情報、配管についての情報、需要家についての情報、及び前記流体の計測値についての情報を格納する管網データベースと、
前記管網データベースに格納されている情報を用いて管網解析を行い、前記流体の物理量を求める管網解析部と、
前記管網解析部が求めた前記物理量を格納する管網解析結果データベースと、
前記管網解析結果データベースに格納されている前記物理量から、時点又は期間で指定された２つの日時における前記物理量を抽出し、抽出した２つの前記日時における前記物理量の互いの相対値を求める比較部と、
表示装置とを備え、
前記比較部は、前記相対値を、前記管網とともに前記表示装置に表示する、
ことを特徴とする管網解析装置。
【請求項２】
前記比較部は、前記日時が期間で指定された場合には、前記管網解析結果データベースに格納されている前記物理量から、指定された前記期間における前記物理量を抽出し、抽出した前記期間における前記物理量の平均値を算出し、この平均値を用いて前記相対値を求める、請求項１に記載の管網解析装置。
【請求項３】
前記管網データベースは、実際の前記管網の配置についての情報、実際の前記配管についての情報、実際の前記需要家についての情報、及び実際の前記流体の計測値についての情報を、実際の管網に関する実管網情報として格納し、
前記管網解析部は、前記管網データベースに格納されている前記実管網情報を用いて管網解析を行い、前記物理量を求め、
前記管網解析結果データベースは、前記管網解析部が前記実管網情報を用いて求めた前記物理量を格納する、請求項１に記載の管網解析装置。
【請求項４】
前記管網データベースは、前記管網データベースに格納されている情報のうち少なくとも１つが変更されて作成された仮想管網情報をさらに格納し、
前記管網解析部は、前記管網データベースに格納されている前記仮想管網情報を用いて管網解析を行い、前記物理量を求め、
前記管網解析結果データベースは、前記管網解析部が前記仮想管網情報を用いて求めた前記物理量を格納する、請求項３に記載の管網解析装置。
【請求項５】
前記比較部は、前記管網解析結果データベースから抽出する２つの前記日時における前記物理量として、一方は前記管網解析部が前記実管網情報を用いて求めた前記物理量を抽出し、他方は時点で指定された日時における、前記管網解析部が前記仮想管網情報を用いて求めた前記物理量を抽出する、請求項４に記載の管網解析装置。
【請求項６】
前記管網解析部は、予め定めた一定周期で、前記管網データベースに格納されている前記実管網情報を用いて管網解析を行い、前記物理量を求める、請求項３に記載の管網解析装置。
【発明の詳細な説明】
【技術分野】
【０００１】
本発明は、水道やガス等の配管の管網解析装置に関する。
【背景技術】
【０００２】
水道網やガス網等の管路施設においては、水やガス等の流体を適正な圧力で需要家へ供給するために、配管内の流体の圧力、流量、流向、及び流速などの物理量を計算し解析する管網解析が活用されている。
【０００３】
管網解析の結果は、管網の管路運用状況（管網内の流体の物理量とその分布）の評価に利用され、管網の供給能力の把握や圧力改善方法の検討などに用いられる。例えば水道についての管網解析の場合では、流量や圧力を用いた水理解析の結果はポンプのエネルギーの効率的な利用に、流速と流向を用いた水質解析の結果は残留塩素の低下防止に、それぞれ役立つ。
【０００４】
特許文献１には、管路図面で管網計算結果を簡単に把握することのできる管路施設図面の表示方法と表示装置が記載されている。この方法と装置では、ある一時点についての管網解析結果を管路図面情報と同時にディスプレイ装置に表示する。
【０００５】
特許文献２には、水理解析をし、現状の管網モデルの解析結果と計画段階の管網モデルの解析結果をモニタに表示する管網解析装置が記載されている。
【先行技術文献】
【特許文献】
【０００６】
【特許文献１】特開２００１−０２２８１４号公報
【特許文献２】特開２００２−００７４８４号公報
【発明の概要】
【発明が解決しようとする課題】
【０００７】
特許文献１と特許文献２に記載の技術では、ある一時点についての管路運用状況を求めることができるものの、異なる２つの時点の管路運用状況を比較して、管路が正常に運用されているかどうかは評価することができない。実際の管路運用状況は施設や地域ごとに時間とともに変化するので、予め管網解析対象の地域内の管路運用の傾向を把握していない限り、一時点だけの管網解析の結果を用いて管路が適正に運用されているか否かを判断することは困難である。
【０００８】
また、改善すべき管網施設が判明した場合や、新たな管網施設の敷設計画がある場合には、管網施設を仮想的に変更した上で管網解析を行うことが有効である。このような場合の管網解析では、解析に供する流体のパラメータ（物理量やその分布）としては、単一の日時ではなく複数の日時でのパラメータを与え、複数の時点での解析結果を比べて評価することが望ましい。さらに、解析結果を比べる日時は、時点や期間で指定できるのが望ましい。
【０００９】
本発明は、２つの日時における管網解析結果を比較し、比較結果を表示することができる管網解析装置を提供することを目的とする。
【課題を解決するための手段】
【００１０】
本発明による管網解析装置は、以下のような特徴を有する。流体の流量又は圧力を計測する測定局と接続され、前記測定局で計測された前記流体の計測値を受信する通信インタフェース部と、前記流体が流れる管網の位置についての情報、配管についての情報、需要家についての情報、及び前記流体の計測値についての情報を格納する管網データベースと、前記管網データベースに格納されている情報を用いて管網解析を行い、前記流体の物理量を求める管網解析部と、前記管網解析部が求めた前記物理量を格納する管網解析結果データベースと、前記管網解析結果データベースに格納されている前記物理量から、時点又は期間で指定された２つの日時における前記物理量を抽出し、抽出した２つの日時における前記物理量の互いの相対値を求める比較部と、表示装置とを備える。前記比較部は、前記相対値を、前記管網とともに前記表示装置に表示する。
【発明の効果】
【００１１】
本発明によれば、２つの日時における管網解析結果を比較し、比較結果を表示することができる管網解析装置を提供することができる。
【図面の簡単な説明】
【００１２】
【図１】本発明の実施例による管網解析装置のシステム構成図である。
【図２Ａ】管路図面ＤＢの一例を示す構造図である。
【図２Ｂ】施設属性ＤＢの一例を示す構造図である。
【図２Ｃ】管網解析結果ＤＢの一例を示す構造図である。
【図３】本発明の実施例による管網解析装置の動作を示すフローチャートの例である。
【図４】管網解析結果比較の処理を示すフローチャートの例である。
【図５】表示装置に表示された比較結果の画面の例である。
【発明を実施するための形態】
【００１３】
本発明による管網解析装置は、実際の管網についての情報を用いた管網解析（実管網解析）と、仮想的に変更した管網についての情報を用いた管網解析（仮想管網解析）とを実行可能な管網解析部と、管網解析の結果を格納する管網解析結果データベースと、管網解析結果データベースから２つの日時（時点又は期間）における水やガス等の流体の物理量を抽出し、抽出した物理量を互いに比較する比較部と、比較結果を表示する表示装置を備える。２つの日時における流体の物理量の相対値を求めてその分布を表示することで、管路運用状況が妥当な範囲に収まっているか否かを評価するのを支援することができる。
【００１４】
一般に、管路運用状況（管網内の流体の物理量とその分布）は、時間とともに変化し、短時間で変化することや変化幅が大きいことが多い。このため、１つの時点のみの流体の物理量を抽出するだけでは、変動する管路運用状況を正確に把握することが困難である。本発明による管網解析装置は、好ましい実施形態として、期間における流体の物理量を抽出することができ、抽出した物理量を比較する際にはその期間において物理量を平均することができるので、流体の物理量の時間変化をできるだけ反映して管路運用状況をより正確に把握することができる。
【００１５】
以下、本発明の実施例による管網解析装置を、図面を用いて説明する。
【００１６】
図１は、本実施例による管網解析装置のシステム構成図である。管網解析装置は、中央処理装置１、入力装置であるマウス２とキーボード３、通信インタフェース部４、及び表示装置５を備える。
【００１７】
中央処理装置１は、データ入力部１００、管網解析部２００、比較部３００、及び各種データを格納するデータベースを備える。データベース（以下「ＤＢ」と称する）としては、管網ＤＢ８００と管網解析結果ＤＢ６００を備え、さらに気象情報ＤＢ７００を備えてもよい。管網ＤＢ８００は、管路図面ＤＢ４００と施設属性ＤＢ５００から構成される。管路図面ＤＢ４００、施設属性ＤＢ５００、及び管網解析結果ＤＢ６００については、図２Ａ〜図２Ｃを用いて後で詳述する。
【００１８】
通信インタフェース部４は、水やガス等の流体の流量又は圧力を計測する複数の測定局とネットワークで接続され、測定局で計測された流体の流量や圧力を受信してデータ入力部１００に出力する。測定局には、流体の流量や圧力を計測する計測器が設置されている。測定局に気温や降水量などの気象データを計測する計測器を設置し、通信インタフェース部４が、測定局で計測した気象データを受信して気象情報ＤＢ７００に格納するようにしてもよい。気象データを計測することにより、管網解析結果を気象情報と関連付けて評価することができる。通信インタフェース部４により、測定局で計測した流体の流量や圧力や気象データは、データ入力部１００や気象情報ＤＢ７００にそれぞれ入力される。
【００１９】
データ入力部１００は、管路図面入力部１１０、施設属性入力部１２０、及び計測値入力部１３０を備える。
【００２０】
管路図面入力部１１０は、入力装置であるマウス２やキーボード３から入力された操作信号に基づき、管路図面を入力して管路図面ＤＢ４００に格納したり、管路図面ＤＢ４００に格納されている情報を修正したりして、管路図面ＤＢ４００が格納する管路図面の情報を更新する。
【００２１】
施設属性入力部１２０は、入力装置であるマウス２やキーボード３から入力された操作信号に基づき、施設属性を入力して施設属性ＤＢ５００に格納したり、施設属性ＤＢ５００に格納されている情報を修正したりして、施設属性ＤＢ５００が格納する施設属性の情報を更新する。
【００２２】
計測値入力部１３０は、通信インタフェース部４から入力された流体の流量や圧力の計測値を施設属性ＤＢ５００に格納して、流体の流量や圧力の計測値を入力する。これらの計測値は、管網解析部２００が流体の需要の時間分布（時刻パターン）を作成するために用いる。
【００２３】
管網解析部２００は、管網解析実行部２１０、及び管網解析結果保存部２２０を備える。
【００２４】
管網解析実行部２１０は、施設属性ＤＢ５００に格納された流体の流量や圧力の計測値から、流体の需要の時間分布を作成する。さらに、管網解析実行部２１０は、管路図面ＤＢ４００と施設属性ＤＢ５００に格納された情報を用いて、予め定めた一定周期（例えば３０分周期）で、自動的に管網解析を実行し、流体の物理量を求める。管路図面ＤＢ４００と施設属性ＤＢ５００に格納された情報を用いて実際の管網に対して行う管網解析を、「実管網解析」と称する。また、実際の管網を「実管網」と称する。すなわち、管網解析実行部２１０は、予め定めた一定周期で、自動的に実管網解析を実行する。この一定周期は、管網や管網内の流体、又は解析目的に応じて、任意に定めることができる。
【００２５】
施設属性ＤＢ５００には、測定局で計測した流体の流量や圧力が、通信インタフェース部４とデータ入力部１００の計測値入力部１３０とを経由して、入力される。管路運用状況（管網内の流体の物理量とその分布）や需要量は、時間とともに変化するが、短時間で変化することや変化幅が大きいことが多い。このため、本実施例による管網解析装置のように、予め定めた一定周期で自動的に実管網解析を実行すると、流体の物理量とその分布の時間変化を正確に把握して解析に反映することができ、実際の管網の管路運用状況を精度よく求めることができる。
【００２６】
また、管網解析実行部２１０は、実管網解析とは別に、仮想管網解析を実行することができる。仮想管網解析とは、仮想の条件や管路を用いて行う管網解析であり、例えば、需要家が使用する流体の量として仮想の値を用いたり、仮想的に管路図面を変更したりするなどして、実際の管網に対する解析とは異なる条件で行う管網解析である。仮想の管網（流れる流体の物理量や需要量が仮想の値である管網や、管路が仮想である管網）を「仮想管網」と称する。
【００２７】
仮想管網解析は、例えば、流体の物理量を変えた管網解析の結果を比較する場合や、施設（管路や建物）を変更した管網解析の結果を求める場合などに実行する。例えば、平日と休日の管路運用状況を比較したい場合には、平日と休日とで流体の物理量が異なる仮想管網解析を実行し、これらの仮想管網解析の結果を比較することで、平日と休日の管路運用状況を比較できる。管網解析実行部２１０は、仮想管網解析の実行指令を受けた場合に、仮想管網解析を実行する。
【００２８】
管網解析結果保存部２２０は、管網解析実行部２１０が実行した管網解析（実管網解析と仮想管網解析）の結果を、管網解析結果ＤＢ６００に格納する。
【００２９】
比較部３００は、解析結果抽出部３１０、及び比較実行部３２０を備える。解析結果抽出部３１０、及び比較実行部３２０については後述する。
【００３０】
図２Ａは、管路図面ＤＢ４００の一例を示す構造図であり、図２Ｂは、施設属性ＤＢ５００の一例を示す構造図であり、図２Ｃは、管網解析結果ＤＢ６００の一例を示す構造図である。管路図面ＤＢ４００、施設属性ＤＢ５００、及び管網解析結果ＤＢ６００は、実管網に関する情報（実管網情報）と仮想管網に関する情報（仮想管網情報）とを共に格納する。実管網情報と仮想管網情報は、このようにデータが一元化され、各ＤＢ４００〜６００内で「実管網フラグ」により区別される。
【００３１】
図２Ａに示す管路図面ＤＢ４００は、管網の配置（位置）についての情報を格納するＤＢであり、管路図面に関するデータである管路図面属性４５０についての情報を格納する。管路図面属性４５０としては、例えば、実管網フラグ４０１、データ更新日時４０２、及び管路図面４０３がある。管路図面４０３には、水やガス等の流体を流すための各種の施設（例えば管路や建物）を示す図形、画像、又は数値のデータを用いることができる。また、管路図面４０３には、水道施設やガス施設の位置を示す座標情報が含まれている。
【００３２】
図２Ｂに示す施設属性ＤＢ５００は、配管に関するデータである配管属性５５０についての情報と、需要家に関するデータである需要家属性５６０についての情報と、測定局での流体の流量や圧力の計測値に関するデータである測定局属性５７０についての情報を格納する。配管属性５５０としては、例えば、実管網フラグ５０１、データ更新日時５０２、位置情報５０３、配管番号５０４、管種５０５、口径５０６、及び延長５０７がある。位置情報５０３は、管路図面ＤＢ４００が格納する管路図面４０３内での配管の位置を示すデータである。配管番号５０４は、配管を特定するのに用いる。需要家属性５６０としては、例えば、実管網フラグ５１１、データ更新日時５１２、位置情報５１３、需要家番号５１４、及び使用量５１５がある。位置情報５１３は、管路図面４０３内での需要家の位置を示すデータである。需要家番号５１４は、需要家を特定するのに用いる。測定局属性５７０としては、例えば、実管網フラグ５２１、データ更新日時５２２、位置情報５２３、測定局番号５２４、圧力５２５、及び流量５２６がある。位置情報５２３は、管路図面４０３内での測定局の位置を示すデータである。測定局番号５２４は、測定局を特定するのに用いる。
【００３３】
管網解析結果ＤＢ６００は、管網解析の結果を格納し、配管ごとに求めた流体の物理量の解析値である配管属性６５０についての情報と、管網上の節点（配管の交差点）における解析値である節点属性６６０についての情報を格納する。配管属性６５０としては、例えば、実管網フラグ６０１、管網解析実行日時６０２、位置情報６０３、配管番号６０４、流量６０５、流速６０６、圧力損失６０７、及び流向６０８がある。節点属性６６０としては、例えば、実管網フラグ６１１、管網解析実行日時６１２、位置情報６１３、節点番号６１４、圧力６１５、及び需要量６１６がある。配管番号６０４は、配管を特定するのに用いられ、節点番号６１４は、節点を特定するのに用いられる。位置情報６０３、６１３は、それぞれ、管路図面４０３内での配管と節点の位置を示すデータである。
【００３４】
なお、測定局は、管網上に多数存在する節点のうち、流量や圧力の計測のために抽出された節点である。
【００３５】
上述したように、管路図面ＤＢ４００、及び施設属性ＤＢ５００は、実管網情報として、実際の管網の配置についての情報（管路図面属性４５０）、実際の配管についての情報（配管属性５５０）、実際の需要家についての情報（需要家属性５６０）、及び実際の流体の計測値についての情報（測定局属性５７０）を格納する。さらに、管路図面ＤＢ４００、及び施設属性ＤＢ５００は、仮想管網情報として、仮想的に作成した管網の配置についての情報（管路図面属性４５０）、仮想的に作成した配管についての情報（配管属性５５０）、仮想的に作成した需要家についての情報（需要家属性５６０）、及び仮想的に作成した流体の計測値についての情報（測定局属性５７０）を格納することができる。仮想管網情報には、これらの情報のうち１つだけを用いてよく、複数を用いてもよい。
【００３６】
図３は、本実施例による管網解析装置の動作を示すフローチャートの例である。
【００３７】
ステップＳ１００の「仮想管網解析実行」の判定では、中央処理装置１は、仮想管網解析を実行するか否かを判定する。作業者は、入力装置であるマウス２やキーボード３を用いて、中央処理装置１に仮想管網解析の実行指令を与える。中央処理装置１は、仮想管網解析の実行指令を受けとった場合に、仮想管網解析を実行する。仮想管網解析は、前述したように、実際の管網に対する解析とは異なる条件で行う管網解析である。実際の管網に対して解析したい場合、例えば、最新の実管網解析の結果と、過去１ヶ月以内でこの最新の実管網解析と同曜日で同時刻の実管網解析の結果の平均とを比較し、管路運用状況を評価したい場合には、仮想管網解析を実行しない。仮想管網解析を実行しない場合には、ステップＳ１１０に進み、仮想管網解析を実行する場合には、ステップＳ１２０に進む。
【００３８】
ステップＳ１１０の「実管網解析実行周期到達」の判定は、仮想管網解析を実行しない場合の処理である。中央処理装置１は、自動的に管網解析を実行する一定周期に到達したか否かを判定する。前述したように、管網解析実行部２１０は、予め定めた一定周期で、自動的に実管網解析を実行する。ステップＳ１１０では、中央処理装置１は、この一定周期での実管網解析の実行のタイミングに達したか否かを判定する。
【００３９】
ステップＳ１２０の「管網情報選択」の処理は、仮想管網解析を実行する場合の処理である。作業者は、仮想管網解析に用いる仮想管網を作成するための管網情報を、管路図面ＤＢ４００と施設属性ＤＢ５００とから選択する。選択する管網情報は、実管網情報でも仮想管網情報でもよく、任意の日時の管網情報を選択することができる。仮想管網解析は、２つの解析結果を比較するために実行する場合が多いが、比較する際に両者の管路図面が一致することが望ましい。そこで、比較対象となる管網情報から仮想管網を作成すると、比較する２つの管路図面を一致させることが容易である。さらに、過去の管網情報を元に仮想管網情報を作成することで、仮想管網情報の設定を容易かつ正確に行うことができる。
【００４０】
ステップＳ１３０の「仮想管網情報登録」の処理では、作業者は、ステップＳ１２０で選択した管網情報を基に、入力装置であるマウス２やキーボード３を用いて、管路図面属性４５０、配管属性５５０、需要家属性５６０、及び測定局属性５７０などの仮想管網情報を作成する。作業者は、入力装置であるマウス２やキーボード３を用いて、選択した管網情報のうち少なくとも１つを変更することで、仮想管網情報を作成する。作成された仮想管網情報は、データ入力部１００により、管路図面ＤＢ４００と施設属性ＤＢ５００に格納される。管路図面ＤＢ４００と施設属性ＤＢ５００に格納される仮想管網情報は、ステップＳ１２０で選択した管網情報からの変更の有無にかかわらず、全ての項目が同時に更新されたものとして保存され、データ更新日時４０２、５０２、５１２は格納日時となる。
【００４１】
ステップＳ２００の「管網解析実行」は、ステップＳ１００で仮想管網解析を実行すると判定した場合、又はステップＳ１１０で自動的に管網解析を実行する一定周期に到達したと判定した場合の処理である。ステップＳ２００では、管網解析実行部２１０が、管路図面ＤＢ４００に格納された情報（管網の配置についての情報）と、施設属性ＤＢ５００に格納された情報（配管についての情報、需要家についての情報、及び流体の計測値）とを用いて、管網解析を実行し、流体の物理量（例えば、流量、流速、圧力損失、流向、及び圧力など）を求める。管網解析実行部２１０は、ステップＳ１００で仮想管網解析を実行すると判定された場合には仮想管網解析を実行し、ステップＳ１１０で自動的に管網解析を実行する一定周期に到達したと判定された場合には実管網解析を実行する。管網解析には、既存の管網解析用ソフトウェア（例えば、ＥＰＡＮＥＴなど）を用いることができる。
【００４２】
ステップＳ３００の「管網解析結果保存」の処理では、管網解析結果保存部２２０が、実管網フラグ６０１、６１１、管網解析実行日時６０２、６１２、流量６０５、流速６０６、圧力損失６０７、流向６０８、圧力６１５、及び需要量６１６などの管網解析の結果を、管網解析結果ＤＢ６００に格納する。管網解析結果ＤＢ６００には、管網解析結果ＤＢ６００を更新した日時順に、管網解析結果が蓄積される。管網解析結果ＤＢ６００に保存可能な解析件数は、管網解析結果ＤＢ６００の容量に依存する。
【００４３】
ステップＳ４００の「管網解析結果比較」の処理では、評価対象とする地域と比較する２つの管網条件を設定し、これらの条件を満たす解析結果を比較する。ここで、図４を用いて、「管網解析結果比較」の処理について説明する。
【００４４】
図４は、管網解析結果比較の処理を示すフローチャートの例である。
【００４５】
ステップＳ４０１の「評価対象地域設定」の処理では、作業者は、まず表示装置５に管路図面４０３を表示し、評価対象とする地域を、入力装置であるマウス２やキーボード３を用いて、表示した管路図面４０３から設定する。作業者は、管路図面ＤＢ４００の中から任意に選んだ管路図面４０３を、表示装置５に表示することができる。
【００４６】
ステップＳ４０２とステップＳ４０３では、作業者が、比較する２つの管網条件を設定する。比較する２つの管網条件のうち、比較の基準となる管網条件を「基準管網条件」と呼び、比較対象となる管網条件（基準管網条件と比較される管網条件）を「比較対象管網条件」と呼ぶ。管網条件としては、実管網か仮想管網のどちらであるかと、解析結果を比較する日時を設定する。日を指定するのに、曜日を用いてもよい。気象情報ＤＢ７００に気象データを格納している場合には、気温や降水量などの気象情報を管網条件として設定してもよい。
【００４７】
基準管網条件と比較対象管網条件として設定される２つの日時（解析結果を比較する２つの日時）は、作業者が任意に選んで指定することができる。実管網の場合は、設定する日時は時点で指定しても期間で指定してもよい。仮想管網の場合は、連続した複数の時間に対するデータが存在しないため、指定する日時は時点である。期間を設定する場合には、始点となる時点と終点となる時点を指定してもよく、始点となる時点と始点からの日数や時間を指定してもよい。
【００４８】
ステップＳ４０２の「基準管網条件設定」の処理では、作業者は、表示装置５に管網解析結果ＤＢ６００に格納された解析結果を表示し、表示した解析結果を参照しながら、基準管網条件を設定する。気象情報ＤＢ７００に格納された気象データを表示装置５に表示し、表示した気象情報（気温や降水量など）を参照して、気象情報を基準管網条件として設定してもよい。
【００４９】
ステップＳ４０３の「比較対象管網条件設定」の処理では、作業者は、ステップＳ４０２と同様に、表示装置５に管網解析結果ＤＢ６００に格納された解析結果を表示し、表示した解析結果を参照しながら、比較対象管網条件を設定する。気象情報ＤＢ７００に格納された気象データを表示装置５に表示し、表示した気象情報を参照して、気象情報を比較対象管網条件として設定してもよい。
【００５０】
ステップＳ４０４の「管路図面一致確認」の処理では、解析結果抽出部３１０は、ステップＳ４０３とステップＳ４０４で設定した日時において、ステップＳ４０１で設定した評価対象とする地域の管路図面が一致しているかを調べる。すなわち、施設が、ステップＳ４０３で設定した日時とステップＳ４０４で設定した日時とで変更されていないかどうかを調べる。管路図面が一致しているかどうかは、管路図面ＤＢ４００に格納された管路図面４０３の位置情報を用いて比較する。
【００５１】
ステップＳ４０５の「管路図面が一致」の判定において、管路図面が一致しない場合は、ステップＳ４１１に進み、管路図面が一致する場合は、ステップＳ４０６に進む。
【００５２】
ステップＳ４１１の「不一致施設の強調表示」は、管路図面が一致しない場合の処理である。ステップＳ４１１では、解析結果抽出部３１０は、不一致である施設を視覚的に他の施設と区別できるように強調して、管網とともに表示装置５に表示する。この強調表示の例としては、不一致である施設を、他の施設よりも太い線で表示する、他の施設と異なる色で表示する、及び点滅させて表示する等の方法が挙げられる。
【００５３】
ステップＳ４１２の「条件修正」の判定では、比較条件である比較対象管網条件、基準管網条件、又は評価対象とする地域を変更するか否かを判定する。作業者は、入力装置であるマウス２やキーボード３を用いて、比較条件を変更し再設定するか否かを中央処理装置１に入力する。
【００５４】
ステップＳ４１３では、作業者は、比較対象管網条件を再設定するか否かを中央処理装置１に入力する。再設定する場合には、ステップＳ４０３に進む。
【００５５】
ステップＳ４１４では、作業者は、基準管網条件を再設定するか否かを中央処理装置１に入力する。再設定する場合には、ステップＳ４０２に進む。
【００５６】
ステップＳ４１５では、作業者は、評価対象とする地域を再設定するか否かを中央処理装置１に入力する。再設定する場合には、ステップＳ４０１に進む。
【００５７】
ステップＳ４１２で作業者が比較条件を変更しない場合は、そのままステップＳ４０６へ進む。この場合には、後述するステップＳ４０７では、ステップＳ４０５の判定で不一致と判定された施設を処理の対象外とする。また、ステップＳ４１２で作業者が比較条件を変更するとしたが、ステップＳ４１３〜Ｓ４１５の全てで作業者が比較条件を再設定しない場合には、ステップＳ４００の「管網解析結果比較」の処理を終了する。
【００５８】
ステップＳ４０６の「管網解析結果取得」の処理では、解析結果抽出部３１０が、評価対象とする地域内で基準管網条件を満たす管網解析結果と、評価対象とする地域内で比較対象管網条件を満たす管網解析結果とを、管網解析結果ＤＢ６００から抽出する。このようにして、設定した比較条件（評価対象とする地域と管網条件）を満たす流体の物理量（圧力、流量、流向、及び流速など）の解析結果を取得することができる。なお、基準管網条件と比較対象管網条件において、解析結果を比較する日時として設定した日時が期間の場合は、解析結果抽出部３１０は、その期間における解析結果を抽出し、圧力、流量、流向、及び流速などの物理量のその期間における平均値を算出し、この平均値を解析結果として取得する。
【００５９】
ステップＳ４０７の「比較実行」の処理では、比較実行部３２０が、ステップＳ４０６で得た基準管網条件を満たす流体の物理量と比較対象管網条件を満たす流体の物理量とを比較し、これらの量の相対値を求める。比較するときには、管路図面４０３の座標情報を用い、互いに同じ位置にある施設について比較する。ステップＳ４０６において、物理量の平均値を算出した場合には、この平均値を比較に用いて相対値を求める。相対値としては、基準管網条件を満たす流体の物理量に対する、比較対象管網条件を満たす流体の物理量の比を求める。なお、上述したように、ステップＳ４１２で作業者が比較条件を変更しない場合には、ステップＳ４０５の判定で不一致と判定された施設については、比較の対象外とする。
【００６０】
以上で、図４に示した管網解析結果比較の処理を示すフローチャートの説明を終了する。図３に示した管網解析装置の動作を示すフローチャートの説明に戻る。
【００６１】
ステップＳ５００の「相対値表示の凡例設定」の処理では、作業者が、表示装置５に表示する流体の物理量（例えば圧力、流量、流向、及び流速など）について表示方法の設定を行う。作業者は、各物理量の表示色、各表示色で示される物理量の数値範囲、及び線種（線の種類や太さなど）の設定などを中央処理装置１に入力して、表示方法の設定を行う。
【００６２】
ステップＳ６００の「比較結果表示」の処理では、比較実行部３２０が、ステップＳ５００で設定した表示方法に基づいて、ステップＳ４０７の「比較実行」の処理（図４）による比較結果（流体の物理量の相対値）を、表示装置５に表示する。表示装置５には、ステップＳ４０１の「評価対象地域設定」の処理（図４）で設定した評価対象とする地域の管路図面を表示し、この管路図面上に比較結果（相対値）を表示する。すなわち、比較実行部３２０は、表示装置５に、評価対象とする地域の相対的な管路運用状況（基準管網条件を満たす流体の物理量と比較対象管網条件を満たす流体の物理量との相対値と、その分布）を表示することができる。また、比較実行部３２０は、表示装置５に、ステップＳ２００での管網解析で求めた流体の物理量の値、すなわち、評価対象とする地域の管路運用状況（流体の物理量とその分布）を表示することができる。
【００６３】
なお、図４に示したステップＳ４０５の「管路図面が一致」の判定において管路図面が一致せずステップＳ４１１に進み、かつステップＳ４１２の「条件修正」の判定において比較条件を変更せずステップＳ４０６へ進んだ場合は、ステップＳ６００では、ステップＳ４０５の判定で不一致と判定された施設が比較の対象外であることを視覚的に認識できるように、この施設を比較の対象となっている施設と区別して表示装置５に表示する。区別して表示する方法としては、例えば、比較の対象外となっている施設を薄い色や細い線で表示する方法がある。
【００６４】
また、ステップＳ６００では、比較実行部３２０が、比較結果（評価対象とする地域の相対的な管路運用状況）を、管網解析結果ＤＢ６００に保存してもよい。
【００６５】
図５は、比較実行部３２０によって、表示装置５に表示された比較結果の画面の例である。図５には、管網と管網を流れる流体の流量とを示しており、管網は線で表され、流量は線種（線の種類や太さ）で区別されて表示されている。表示装置５の画面の左側には、流量の相対値（（ａ）相対指標）を示し、右側には、流量の値（（ｂ）絶対指標）を示している。
【００６６】
図５に示す例では、基準管網条件と比較対象管網条件として、実管網について、期間を設定した。期間としては、基準管網条件では、解析実行日の、解析実行時の２時間前から１時間前の時間帯を設定し、比較対象管網条件では、解析実行日の前日の、基準管網条件と同じ時間帯を設定した。すなわち、図５に示す例では、（ａ）相対指標として、解析実行日の前日の設定した時間帯における流量の平均値に対する、解析実行日の設定した時間帯における流量の平均値の相対値（比）が表示され、（ｂ）絶対指標として、解析実行日の設定した時間帯における流量の平均値が表示されている。
【００６７】
なお、図５には、基準管網条件と比較対象管網条件とが共に実管網の場合を例に示したが、基準管網条件と比較対象管網条件とが共に仮想管網であってもよく、基準管網条件と比較対象管網条件とのうち任意の一方が実管網であり他方が仮想管網であってもよい。
【００６８】
また、図５には、解析結果を比較する日時として設定する日時が、基準管網条件と比較対象管網条件とで共に期間の場合を例に示したが、基準管網条件と比較対象管網条件とで共に時点であってもよく、基準管網条件と比較対象管網条件とのうち任意の一方が期間であり他方が時点であってもよい。ただし、上述したように、仮想管網の場合は、設定する日時は時点である。解析結果を比較する日時として設定した日時が期間の場合には、その期間における解析結果（物理量）の平均値を算出し、この平均値を比較して表示する。
【００６９】
このように、本実施例による管網解析装置では、評価対象とする地域の相対的な管路運用状況として、基準管網条件を満たす流体の物理量（図５に示す例では流量の平均値）と比較対象管網条件を満たす流体の物理量との相対値と、その分布とを、表示装置５に表示することができる。また、評価対象とする地域の（絶対的な）管路運用状況として、基準管網条件を満たす流体の物理量（図５に示す例では流量の平均値）と、その分布とを、表示装置５に表示することもできる。以上示したように、本実施例による管網解析装置は、２つの日時（時点又は期間）における管網解析結果を比較することができ、比較結果を表示することによって、評価対象とする地域の管路運用状況が妥当な範囲に収まっているか否かを作業者が評価するのを支援することができる。
【００７０】
なお、本発明は、上記の実施例に限定されるものではなく、様々な変形例を含む。例えば、上記の実施例は、本発明を分かりやすく説明するために詳細に説明したものであり、本発明は、必ずしも説明した全ての構成を備える態様に限定されるものではない。
【符号の説明】
【００７１】
１…中央処理装置、２…マウス、３…キーボード、４…通信インタフェース部、５…表示装置、１００…データ入力部、１１０…管路図面入力部、１２０…施設属性入力部、１３０…計測値入力部、２００…管網解析部、２１０…管網解析実行部、２２０…管網解析結果保存部、３００…比較部、３１０…解析結果抽出部、３２０…比較実行部、４００…管路図面ＤＢ、４５０…管路図面属性、５００…施設属性ＤＢ、５５０…配管属性、５６０…需要家属性、５７０…測定局属性、６００…管網解析結果ＤＢ、６５０…配管属性、６６０…節点属性、７００…気象情報ＤＢ、８００…管網ＤＢ。
【図１】
2015203942.tif 000003
【図２Ａ】
2015203942.tif 000004
【図２Ｂ】
2015203942.tif 000005
【図２Ｃ】
2015203942.tif 000006
【図３】
2015203942.tif 000007
【図４】
2015203942.tif 000008
【図５】
2015203942.tif 000009